(57)【要約】      （修正有）【課題】表示装置のスピーカの取付に際して、低コスト化及び作業の効率化を図るテレビジョン受像機並びに表示装置の製造方法を提供する。【解決手段】表示装置１は、バックライトシャーシ１７と、バックライトシャーシの背面に取り付けられるスピーカ１８ａ、１８ｂと、を備える。バックライトシャーシの背面に取り付けられる支持部材１９ａ〜１９ｄをさらに備える。スピーカは、支持部材に嵌合する嵌合部を備える。バックライトシャーシの背面には、支持部材をスライドインさせるガイド部が設けられ、支持部材は、ガイド部にスライドインされることにより、バックライトシャーシの背面に取り付けられる。【選択図】図４
2016021738.tif 000002
【特許請求の範囲】
【請求項１】
バックライトシャーシと、
当該バックライトシャーシの背面に取り付けられたスピーカと、
を備えることを特徴とする表示装置。
【請求項２】
上記バックライトシャーシの背面に取り付けられる支持部材をさらに備え、
上記スピーカは、上記支持部材に嵌合する嵌合部を備える
ことを特徴とする請求項１に記載の表示装置。
【請求項３】
上記バックライトシャーシの背面には、上記支持部材をスライドインさせるガイド部が設けられ、
上記支持部材は、上記ガイド部にスライドインされることにより、上記バックライトシャーシの背面に取り付けられる
ことを特徴とする請求項２に記載の表示装置。
【請求項４】
上記バックライトシャーシの背面には、２つの上記ガイド部が、上記支持部材をスライドインさせる方向が互いに逆向きになるように設けられ、
上記スピーカは、２つの上記嵌合部を備え、
２つの上記支持部材は、それぞれ２つの上記ガイド部に互いに逆向きにスライドインされ、
上記スピーカの２つの上記嵌合部は、それぞれ２つの上記支持部材に嵌合する
ことを特徴とする請求項３に記載の表示装置。
【請求項５】
上記支持部材の底面には、凸部が設けられ、
上記ガイド部は、２つのガイドレールを有しており、
上記バックライトシャーシの背面には、上記２つのガイドレールの間に、上記凸部に嵌合する開口が形成されている
ことを特徴とする請求項３または４に記載の表示装置。
【請求項６】
２つの上記ガイド部のうち、一方のガイド部が有するガイドレールは、他方のガイド部が有するガイドレールよりも長い
ことを特徴とする請求項４に記載の表示装置。
【請求項７】
上記支持部材の底面には、凸部が設けられ、
上記一方のガイド部は、２つの上記ガイドレールを有しており、
上記バックライトシャーシの背面には、上記２つのガイドレールの間に、上記凸部に嵌合する、複数の開口が形成されている
ことを特徴とする請求項６に記載の表示装置。
【請求項８】
上記スピーカの嵌合部に対して、当該表示装置の背面側から当接する当接部を有するバックキャビネットをさらに備える
ことを特徴とする請求項１から７のいずれか一項に記載の表示装置。
【請求項９】
請求項１から８のいずれか一項に記載の表示装置を備えていることを特徴とするテレビジョン受像機。
【請求項１０】
表示装置の製造方法であって、
バックライトシャーシの背面に支持部材を取り付ける第１ステップと、
上記支持部材にスピーカの嵌合部を嵌合させる第２ステップと、
を含むことを特徴とする表示装置の製造方法。
【請求項１１】
上記バックライトシャーシにバックキャビネットを重ね合わせる第３ステップ
をさらに含み、
上記第３ステップにおいて、上記スピーカの嵌合部に対して、上記バックキャビネットに設けられた当接部を、上記表示装置の背面側から当接させる
ことを特徴とする請求項１０に記載の表示装置の製造方法。
【発明の詳細な説明】
【技術分野】
【０００１】
本発明は、スピーカを有する表示装置、および、そのような表示装置の製造方法に関する。
【背景技術】
【０００２】
近年、テレビジョン受像機（以下、単にテレビと記載する）などの表示機器に対し、薄型化および軽量化と共に低コスト化が求められてきている。また、この要望に対応するため、テレビ内部の構造を単純化した直下型バックライトを用いたテレビが普及してきている。
【０００３】
一方、従来、テレビのスピーカは、フロントキャビネットに取り付けられていた。ところが、テレビの軽量化および低コスト化に伴って、フロントキャビネットの狭額縁化が求められることになり、スピーカをフロントキャビネットに配置することが困難になってきた。
【０００４】
そこで、スピーカをバックキャビネット側に下向きに取り付けることが行われている。例えば、バックキャビネット側に支柱を立設し、その支柱にスピーカボックスを嵌めて、その上側からビスにより固定するなどの方法が用いられている。なお、特許文献１には、自動車用シートのヘッドレストの部分に外部スピーカを取付ける際の取付構造が開示されており、ベースとなる金具と、取付用の金具、ビスおよびナットとを備える構成になっている。
【先行技術文献】
【特許文献】
【０００５】
【特許文献１】実開平３−８６６８９号公報（１９９１年９月２日公開）
【発明の概要】
【発明が解決しようとする課題】
【０００６】
しかしながら、上記の従来技術においては、スピーカの固定に関し、低コスト化および作業効率の向上の観点から改善すべき点があった。
【０００７】
本発明は、上記課題に鑑みてなされたものであり、その主たる目的は、表示装置のスピーカの取付に際して、低コスト化および作業の効率化を図ることのできる表示装置を実現することにある。
【課題を解決するための手段】
【０００８】
上記課題を解決するために、本発明の一態様に係る表示装置は、バックライトシャーシと、当該バックライトシャーシの背面に取り付けられたスピーカと、を備える。
【発明の効果】
【０００９】
本発明の一態様によれば、表示装置のスピーカの取付に際して、低コスト化および作業の効率化を図ることができるという効果を奏する。
【図面の簡単な説明】
【００１０】
【図１】本実施形態に係る表示装置の外観を示す図であり、（ａ）は本実施形態に係る表示装置を正面側から見た斜視図であり、（ｂ）は本実施形態に係る表示装置を背面側から見た斜視図である。
【図２】本実施形態に係る表示装置を正面側から見た分解斜視図である。
【図３】本実施形態に係る表示装置を背面側から見た分解斜視図である。
【図４】本実施形態に係るスピーカが取り付けられたバックライトシャーシの外観を示す図であり、（ａ）は上方から見た斜視図であり、（ｂ）は下方から見た斜視図である。
【図５】本実施形態に係る反射シートおよびバックライトシャーシの外観を示す図であり、（ａ）は正面側から見た斜視図であり、（ｂ）は背面側から見た斜視図である。
【図６】本実施形態に係るスピーカの外観を示す図であり、（ａ）は底面側から見た斜視図であり、（ｂ）は正置状態の表示装置に取り付けられたとした場合の背面側から見た背面図であり、（ｃ）は正置状態の表示装置に取り付けられたとした場合の上方から見た平面図である。
【図７】本実施形態に係る支持部材の外観を示す図であり、（ａ）は上面側から見た斜視図であり、（ｂ）は底面側から見た斜視図であり、（ｃ）は平面図であり、（ｄ）は底面図であり、（ｅ）は側面図である。
【図８】本実施形態に係るバックキャビネットの外観を示す、正面側から見た斜視図である。
【図９】本実施形態に係るバックライトシャーシおよび支持部材を示す図であり、（ａ）はバックライトシャーシの背面下部に形成されたガイド部および開口を示し、（ｂ）はガイド部および開口と、支持部材との対応付けを示す。
【図１０】本実施形態に係る支柱部材をバックライトシャーシに取り付ける手順を示す図である。
【図１１】本実施形態に係るバックライトシャーシに取り付けられた支持部材と、スピーカとの対応付けを示す図である。
【図１２】本実施形態に係るスピーカが支持部材に取り付けられた状態を示す図であり、（ａ）は側面側から見た斜視図であり、（ｂ）は表示装置の左右方向を法線方向とする断面による垂直断面図であり、（ｃ）は底面図である。
【図１３】本実施形態に係るバックキャビネットの正面下部の右側を示す、正面側から見た斜視図である。
【図１４】本実施形態に係る表示装置の水平断面下部の斜視図であり、バックキャビネットをバックライトシャーシに取り付ける途中の状態を示す。
【図１５】本実施形態に係る表示装置の水平断面下部の斜視図であり、バックキャビネットをバックライトシャーシに取り付けた状態を示す。
【図１６】本実施形態に係る表示装置の左右方向を法線方向とする断面から、正面側から見て左側の斜視図である。
【図１７】本実施形態に係るバックライトシャーシ、スピーカおよび支持部材の実施例を示す図であり、（ａ）はバックライトシャーシの背面下部の左側に形成されたガイド部および開口を示し、（ｂ）、（ｃ）はバックライトシャーシの背面下部の左側に固定された支持部材を示し、（ｄ）、（ｅ）はスピーカを示す。
【発明を実施するための形態】
【００１１】
〔実施形態１〕
以下、本発明の実施の形態について、詳細に説明する。ただし、この実施形態に記載されている構成は、特に特定的な記載がない限り、この発明の範囲をそれのみに限定する趣旨ではなく、単なる説明例に過ぎない。
【００１２】
本実施形態に係る表示装置は、直下型ＬＥＤ用の反射シートを取り付けるために必要な下部斜面スペースを利用して、反射シートに重ねられるバックライトシャーシの背面下部にスピーカ取付用のスペースを設け、そのスペースに形成されたガイド部にスピーカの支持部材をスライドインで取り付け、その支持部材にスピーカを取り付けるものである。なお、以下に説明する表示装置は、主としてチューナを有するテレビジョン受像機に用いられるが、これは本実施形態を限定するものではない。また、以下に説明する表示装置とチューナとを備えるテレビジョン受像機も本明細書に記載された発明に含まれる。
【００１３】
〈表示装置の外観〉
まず、本実施形態に係る表示装置１の構成について、図１を参照して説明する。図１は、本実施形態に係る表示装置１の外観を示す図である。図１（ａ）は本実施形態に係る表示装置１を正面側から見た斜視図であり、図１（ｂ）は本実施形態に係る表示装置１を背面側から見た斜視図である。
【００１４】
以下では、図１（ａ）に示すような、表示装置１を水平面上に設置した状態において、鉛直方向の上および下を単に上および下という。また、左右に関しては、都度、正面側または背面側から見たときの左および右である旨を明示する。
【００１５】
〈表示装置の構成の概要〉
まず、本実施形態に係る表示装置１の構成について、図２および図３を参照して説明する。図２は、本実施形態に係る表示装置１を正面側から見た分解斜視図である。また、図３は、本実施形態に係る表示装置１を背面側から見た分解斜視図である。
【００１６】
図２および図３に示すように、表示装置１は、フロントキャビネット１０、ベゼル１１、液晶パネル１２、シート保持枠１３、光学シート群１４、反射シート１５、ＬＥＤ基板１６、バックライトシャーシ１７、スピーカ１８、バックキャビネット２０、および、メイン回路基板２１を備えている。
【００１７】
なお、本実施形態に係る表示装置１では、図２および図３に示すように、液晶パネル１２、光学シート群１４および反射シート１５の背面にＬＥＤ基板１６およびＬＥＤ素子１６０が配置されることによって、直下型バックライトが構成されている。
【００１８】
以下、表示装置１の備える各部材の概要について説明する。なお、表示装置１においてフロントキャビネット１０が存在する側を正面とも称し、その反対側（バックキャビネット２０が存在する側）を背面とも称する。
【００１９】
（フロントキャビネット、バックキャビネット）
フロントキャビネット１０は、主に、表示装置１の外枠を正面側から覆う筐体である。また、バックキャビネット２０は、主に、表示装置１を背面側から覆う筐体である。
【００２０】
フロントキャビネット１０とバックキャビネット２０との間には、フロントキャビネット１０側から順に、ベゼル１１、液晶パネル１２、シート保持枠１３、光学シート群１４、反射シート１５、ＬＥＤ基板１６、バックライトシャーシ１７、および、メイン回路基板２１が重ねられて格納されている。
【００２１】
（ベゼル、液晶パネル、シート保持枠）
ベゼル１１は、液晶パネル１２の映像表示面側から液晶パネル１２の周囲を覆うように配置され、シート保持枠１３と共に液晶パネル１２を把持することにより、バックライトシャーシ１７に対する液晶パネル１２の法線方向の位置を規定する。また、ベゼル１１を設けることにより、表示装置１の強度を保つことができ、静電対策にも有効である。
【００２２】
シート保持枠１３は、液晶パネル１２を支持する部材であって、上述のようにベゼル１１と共に液晶パネル１２を把持する。また、シート保持枠１３は、後述する光学シート群１４の周囲から光が漏れることを防ぐ遮光部材である。シート保持枠１３は、バックライトシャーシ１７と共に光学シート群１４を把持することにより、バックライトシャーシ１７に対する光学シート群１４の法線方向の位置を規定する。
【００２３】
（光学シート群、反射シート）
光学シート群１４は、後述するＬＥＤ基板１６に備えられているＬＥＤ素子１６０から出射される光の光量のムラ（すなわち輝度ムラ）を抑制するとともに、ＬＥＤ素子１６０から出射される光を調光して液晶パネル１２に向けて出射する機能を有している。
【００２４】
光学シート群１４は、例えば、拡散シート、プリズムシート、マイクロレンズシート、および、拡散シートなどを含んで構成されている。なお、光学シート群１４を構成する各シートの枚数および組み合わせは、所望の光学性能が得られるような枚数および組み合わせであれば、特に限定されるものではない。
【００２５】
反射シート１５は、ＬＥＤ素子１６０から出射される光を反射する。反射シート１５には、ＬＥＤ素子挿入孔１５１が形成されており、反射シート１５の背面側に設けられるＬＥＤ基板１６の備えるＬＥＤ素子１６０がＬＥＤ素子挿入孔１５１に挿入される。これにより、反射シート１５は、ＬＥＤ基板１６とＬＥＤ素子１６０との間に位置することになる。
【００２６】
反射シート１５は、ＬＥＤ基板１６およびバックキャビネット２０などに吸収されていた、ＬＥＤ素子１６０から出射される光を反射して有効に利用できるため、光学シート群１４に向けて出射される光量を増やすことができる。これによって、反射シート１５は、液晶パネル１２の輝度を向上させる事が出来る。
【００２７】
なお、反射シート１５は、入射した光が正反射するシートであってもよいが、乱反射するシートを用いることがより好ましい。反射シート１５として入射した光が乱反射するシートを用いることによって、反射シート１５は、入射角と異なる角度の反射成分を含んで光を反射させることができる。
【００２８】
（ＬＥＤ基板、バックライトシャーシ、メイン回路基板）
ＬＥＤ基板１６は、液晶パネル１２側にＬＥＤ素子１６０が配置された基板であり、バックライトシャーシ１７に固定される。
【００２９】
ＬＥＤ基板１６は短冊形の形状を有しており、その長手方向に沿って複数のＬＥＤ素子１６０が並んで配置されている。このようにＬＥＤ基板１６を構成することにより、複数のＬＥＤ素子１６０を簡易に表示装置１内に配置することができる。
【００３０】
また、ＬＥＤ基板１６には、ＬＥＤ素子１６０に電流を供給する回路（不図示）が設けられており、バックライトシャーシ１７の背面に配置されるメイン回路基板２１上に設けられている回路（不図示）と電気的に接続されている。
【００３１】
ＬＥＤ基板１６の長手方向の一方の端部には、メイン回路基板２１に電気的に接続するためのコネクタ１６１が設けられており、また、ＬＥＤ基板１６には、コネクタ１６１と各ＬＥＤ素子１６０とを電気的に接続する回路（不図示）が設けられている。
【００３２】
バックライトシャーシ１７の背面に配置されるメイン回路基板２１は、ＬＥＤ基板１６設けられている回路とコネクタ１６１を介して電気的に接続されている。
【００３３】
なお、本実施形態では、ＬＥＤ基板１６の長手方向が、表示装置１の長手方向に平行に配置される構成を例に説明しているが、本発明はこれに限定されるものではなく、例えば、ＬＥＤ基板１６の長手方向が、表示装置１の短手方向に平行になるように配置してもよい。
【００３４】
バックライトシャーシ１７は、ＬＥＤ基板１６を保持するシャーシである。また、バックライトシャーシ１７には、ベゼル１１およびシート保持枠１３により、液晶パネル１２、光学シート群１４、および、反射シート１５が保持される。
【００３５】
（スピーカ）
スピーカ１８は、表示装置１において再生（表示）されるコンテンツの音声を出力する。スピーカ１８は、バックライトシャーシ１７の背面下部とバックキャビネット２０の正面下部との間に、支持部材１９およびボス２０１（図８参照）を用いて固定される。なお、スピーカ１８のバックライトシャーシ１７への取り付けの詳細については、図面を変えて後述する。
【００３６】
〈スピーカをバックライトシャーシに取り付ける構造〉
以下、表示装置１において、スピーカ１８をバックライトシャーシ１７に取り付け、さらにバックキャビネット２０を重ね合わせて、スピーカ１８を固定する構造について詳細に説明する。本構造には、構成要素として、バックライトシャーシ１７、スピーカ１８、支持部材１９およびバックキャビネット２０が含まれる。
【００３７】
（スピーカ付きバックライトシャーシの外観）
まず、スピーカ１８を取り付けた状態におけるバックライトシャーシ１７の外観について、図４を参照して説明する。図４は、本実施形態に係るスピーカ１８が取り付けられたバックライトシャーシ１７の外観を示す図である。図４（ａ）は上方から見た斜視図であり、図４（ｂ）は下方から見た斜視図である。図示のように、バックライトシャーシ１７の背面下部の左右にスピーカ１８ａおよび１８ｂがそれぞれ取り付けられている。スピーカ１８ａは、支持部材１９ａおよび１９ｂにより支持される。スピーカ１８ｂは、支持部材１９ｃおよび１９ｄにより支持される。
【００３８】
上記の構成によれば、スピーカ１８の駆動回路などの基板をバックライトシャーシ１７に配置することにより、信号線の引き回しがバックライトシャーシ１７内で閉じるので、線長を短くすることができる。次に、表示装置１の組立作業において、バックライトシャーシ１７の正面にバックライトを取り付けた後に、バックライトシャーシ１７を回転し、その背面に上記基板およびスピーカ１８を取付けることができるので、組立作業の流れがよくなる。そして、スピーカ１８をバックライトシャーシ１７に取り付けることにより、その分だけバックキャビネット２０の構造が簡単になる。
【００３９】
さらに、スピーカ１８をフロントキャビネット１０に取り付けずに済み、他の部材を削減できるので、表示装置１の狭額縁化および低コスト化を図ることができる。そして、表示装置１の正面から順番に各部品（バックライトシャーシおよびスピーカ）を取り付ける手順になるので、作業効率の向上を図ることができる。
【００４０】
（反射シートとバックライトシャーシ）
次に、反射シート１５およびバックライトシャーシ１７について、図５を参照して説明する。図５は、本実施形態に係る反射シート１５およびバックライトシャーシ１７の外観を示す図である。図５（ａ）は正面側から見た斜視図であり、図５（ｂ）は背面側から見た斜視図である。図示のように、反射シート１５の背面下部には、斜面１５１が形成される。バックライトシャーシ１７の下部の左右２箇所には、正面から見れば凸部１７２が形成され、背面から見れば凹部１７３が形成される。
【００４１】
反射シート１５の背面と、バックライトシャーシ１７の正面とを重ねたときに、反射シート１５の斜面１５１と、バックライトシャーシ１７の凸部１７２とが当接する。ここで、バックライトシャーシ１７の凸部１７２は、反射シート１５の斜面１５１に干渉しない程度に形成される。一方、バックライトシャーシ１７の凹部１７３は、スピーカ１８が取り付けられる空間となる。
【００４２】
上記によれば、バックライトシャーシ１７の背面下部に凹部１７３を形成することにより、表示装置１の筐体の薄型化が可能になる。
【００４３】
（スピーカ）
続いて、スピーカ１８について、図６を参照して説明する。図６は、本実施形態に係るスピーカ１８の外観を示す図である。図６（ａ）は底面側から見た斜視図であり、図６（ｂ）は正置状態の表示装置に取り付けられたとした場合の背面側から見た背面図であり、図６（ｃ）は正置状態の表示装置に取り付けられたとした場合の上方から見た平面図である。ここでは、特に、バックライトシャーシ１７の背面下部の右側（正面から見れば左側）に取り付けられるスピーカ１８ｂについて説明する。スピーカ１８ｂは、振動板が下向きになるように設置され、嵌合部材１８１ｃおよび１８１ｄ（嵌合部）と、固定部材１８２ｃおよび１８２ｄとを備える。嵌合部材１８１ｃおよび１８１ｄは、支持部材１９に嵌合する部材であり、略円筒状に形成され、実際にはゴムブッシュなどの弾性体が用いられる。固定部材１８２ｃおよび１８２ｄは、それぞれ嵌合部材１８１ｃおよび１８１ｄをスピーカ１８ｂに対して固定するための部材である。嵌合部材１８１ｃは、固定部材１８２ｃにより、スピーカ１８ｂの、Ｕ字形に窪んだ部分に固定される。一方、嵌合部材１８１ｄは、固定部材１８２ｄにより、スピーカ１８ｂの側端面に固定される。
【００４４】
なお、上記の説明は、バックライトシャーシ１７の背面下部の左側（正面から見れば右側）に取り付けられるスピーカ１８ａについても同様である。また、図６に示すスピーカは、より具体的には、一般に「スピーカボックス」と呼ばれるものであるが、本明細書に記載の発明はこれに限定されるものではない。
【００４５】
（支持部材）
さらに、支持部材１９について、図７を参照して説明する。図７は、本実施形態に係る支持部材１９の外観を示す図である。図７（ａ）は上面側から見た斜視図であり、図７（ｂ）は底面側から見た斜視図であり、図７（ｃ）は平面図であり、図７（ｄ）は底面図であり、図７（ｅ）は側面図である。なお、図７に関する説明においては、支持部材１９を水平面上に立設したときの、鉛直方向の上および下を単に上および下という。
【００４６】
支持部材１９は、支柱部１９１と、平板部１９２と、補強部材１９３とを備える。支柱部１９１は、平板部１９２の上面に立設され、４個の板状の補強部材１９３が四方から支柱部１９１および平板部１９２に付設される。これにより、支柱部１９１と、平板部１９２とが強固に接合される。図６に示すスピーカ１８の嵌合部材１８１は、支柱部１９１の上部に嵌め込まれ、補強部材１９３の上端に当接して留まる。なお、支持部材１９は、支柱部１９１、平板部１９２および補強部材１９３を一体成形したものであるが、これは本実施形態を限定するものではない。
【００４７】
平板部１９２は、平板状のベース板であり、一方の端部に可動部１９４を備える。図示のように、可動部１９４は、その両側に切り欠きが施されているので、平板部１９２の他の部分に対して上下方向に若干の変位が可能である。可動部１９４は、凸部１９５および１９６を備える。凸部１９５は、可動部１９４の上面に設けられており、支持部材１９をバックライトシャーシ１７に取り付けた後に、取り外すときに使用される。凸部１９６は、可動部１９４の底面に設けられており、支持部材１９をバックライトシャーシ１７に取り付けた後に、簡単には外れないように作用する。
【００４８】
なお、支持部材１９は、図４に示すように、バックライトシャーシ１７の背面下部の４箇所に取り付けられるので、各支持部材１９に対して、背面側から見て左側からそれぞれ添え字ａ、ｂ、ｃ、ｄを付して区別する。これは、支持部材１９の構成要素である、支柱部１９１、平板部１９２、補強部材１９３、可動部１９４、凸部１９５、凸部１９６に関しても同様である。
【００４９】
（バックキャビネット）
続いて、バックキャビネット２０について、図８を参照して説明する。図８は、本実施形態に係るバックキャビネット２０の外観を示す、正面側から見た斜視図である。図示のように、バックキャビネット２０の正面下部には、ボス２０１ａ、２０１ｂ、２０１ｃおよび２０１ｄ（当接部）が突設されている。ボス２０１は、スピーカ１８の嵌合部材１８１に対して背面側から当接し、バックライトシャーシ１７の背面に取り付けられる支持部材１９とともに、スピーカ１８の嵌合部材１８１を挟持する。
【００５０】
〈スピーカをバックライトシャーシに取り付ける手順〉
表示装置１の組立作業（表示装置の製造方法）において、スピーカ１８をバックライトシャーシ１７の背面に固定する手順は、以下の３つのステップからなる。
（１）支柱部材１９をバックライトシャーシ１７の背面下部に取り付ける。
（２）スピーカ１８を支持部材１９に取り付ける。
（３）バックキャビネット２０を、スピーカ１８が取り付けられたバックライトシャーシ１７に重ね合わせる。
【００５１】
以下、各ステップについて、図９から図１６を参照して説明する。
【００５２】
（第１ステップ：支柱部材をバックライトシャーシに取り付ける）
まず、支柱部材１９をバックライトシャーシ１７に取り付ける様子について、図９および図１０を参照して説明する。図９は、本実施形態に係るバックライトシャーシ１７および支持部材１９を示す図である。図９（ａ）はバックライトシャーシ１７の背面下部に形成されたガイド部１７４および開口１７５を示し、図９（ｂ）はガイド部１７４および開口１７５と、支持部材１９との対応付けを示す。なお、図９（ｂ）には図示されていないものの、支持部材１９ａの底面には、凸部１９６ｂと同様に凸部１９６ａが設けられている。
【００５３】
図９に示すように、バックライトシャーシ１７の背面下部の左側（正面から見れば右側）に、ガイド部１７４ａおよび１７４ｂと、開口１７５ａおよび１７５ｂとが形成される。ガイド部１７４ａおよび１７４ｂは、上下に支柱部材１９の平板部１９２の厚さと同程度の隙間が形成されるとともに、その上下の隙間の端部を塞ぐようにストッパ１７６ａおよび１７６ｂが設けられており、それぞれ支柱部材１９ａおよび１９ｂをスライドインさせて、留める部分である。すなわち、ストッパ１７６ａおよび１７６ｂは、それぞれガイド部１７４ａおよび１７４ｂにスライドインされた支柱部材１９ａおよび１９ｂに対して、スライドイン方向とは反対側から当接する部分である。
【００５４】
開口１７５ａおよび１７５ｂは、それぞれガイド部１７４ａおよび１７４ｂの付近に形成された矩形状の穴である。すなわち、図９に示すように、開口１７５ａは、ガイド部１７４ａが有する２つのガイドレール（上述の「隙間」に対応）の間に形成されており、開口１７５ｂは、ガイド部１７４ｂが有する２つのガイドレールの間に形成されている。開口１７５ａには、ガイド部１７４ａに対して、背面側から見て左方向へ支柱部材１９ａをスライドインさせたときに、支柱部材１９ａの底面側の凸部１９６ａ（図示せず）が嵌合する。開口１７５ｂには、ガイド部１７４ｂに対して、背面側から見て右方向へ支柱部材１９ｂをスライドインさせたときに、支柱部材１９ｂの底面側の凸部１９６ｂが嵌合する。
【００５５】
なお、上記の説明は、バックライトシャーシ１７の背面下部の右側（正面から見れば左側）に形成される、ガイド部１７４ｃおよび１７４ｄ、ならびに、開口１７５ｃおよび１７５ｄ（図示せず）についても同様である。
【００５６】
続いて、支柱部材１９をバックライトシャーシ１７に取り付ける手順について、図１０を参照して説明する。図１０は、本実施形態に係る支柱部材１９をバックライトシャーシ１７に取り付ける手順を示す図である。まず、図１０（ａ）に示すように、支持部材１９ａをバックライトシャーシ１７の背面に近付ける。次に、図１０（ｂ）に示すように、支持部材１９ａの平板部１９２ａをバックライトシャーシ１７の背面下部に接触させる。そして、図１０（ｃ）に示すように、支持部材１９ａの平板部１９２ａをバックライトシャーシ１７のガイド部１７４ａに滑り込ませる。最終的には、図１０（ｄ）に示すように、支持部材１９ａの平板部１９２ａをバックライトシャーシ１７のガイド部１７４ａのストッパ１７６ａまで押し込む。このとき、支持部材１９ａの凸部１９６ａがバックライトシャーシ１７の開口１７５ａに嵌合する（図示せず）。
【００５７】
これにより、支持部材１９ａがバックライトシャーシ１７の背面に固定され、簡単には外れない状態になる。なお、支持部材１９ａをバックライトシャーシ１７から取り外すためには、図１０（ｄ）に示す凸部１９５ａに対して力を加え、可動部１９４ａをバックライトシャーシ１７から離れる方向に変位させることにより、凸部１９６ａを開口１７５ａから離し、その状態のまま、平板部１９２ａを、背面側から見て右方向にずらせばよい。
【００５８】
（第２ステップ：スピーカを支持部材に取り付ける）
続いて、スピーカ１８を支持部材１９に取り付ける様子について、図１１および図１２を参照して説明する。図１１は、本実施形態に係るバックライトシャーシ１７に取り付けられた支持部材１９と、スピーカ１８との対応付けを示す図である。図１１（ａ）に示すように、バックライトシャーシ１７の背面下部の左側において、支持部材１９ａおよび１９ｂがそれぞれガイド部１７４ａおよび１７４ｂに取り付けられている。そして、図１１（ｂ）に示すように、スピーカ１８ａの嵌合部材１８１ａが支持部材１９ａに対応し、嵌合部材１８１ｂが支持部材１９ｂに対応する。
【００５９】
図１２は、本実施形態に係るスピーカ１８が支持部材１９に取り付けられた状態を示す図である。図１２（ａ）は側面側から見た斜視図であり、図１２（ｂ）は表示装置１の左右方向を法線方向とする断面による垂直断面図であり、図１２（ｃ）は底面図である。図示のように、スピーカ１８ａの嵌合部材１８１ａが、バックライトシャーシ１７に取り付けられた支持部材１９ａに嵌め込まれている。同様に、スピーカ１８ａの嵌合部材１８１ｂが支持部材１９ｂに嵌め込まれている（図示せず）。図１２（ｃ）に示すように、バックライトシャーシ１７と、スピーカ１８ａとの間に緩衝部材２２ａを介設することにより、スピーカ１８ａの振動をバックライトシャーシ１７に伝えないように抑制してもよい。
【００６０】
なお、図１１（ａ）に示すように、２個のガイド部１７４ａおよび１７４ｂに対して、それぞれの支持部材１９ａおよび１９ｂをスライドインする向きが、いずれも内側から外側への向き（すなわち、支持部材１９ａおよび１９ｂが互いに遠ざかる向き）であって、互いに逆向きになっている。これにより、支持部材１９ａおよび１９ｂにスピーカ１８ａを取り付けることにより、支持部材１９ａおよび１９ｂが内向きに戻ることなく、ビスなしで固定することができる。
【００６１】
なお、上記の説明は、バックライトシャーシ１７の背面下部の右側に取り付けられた支持部材１９ｃおよび１９ｄ、ならびに、スピーカ１８ｂについても同様である。
【００６２】
（第３ステップ：バックキャビネットをバックライトシャーシに重ね合わせる）
さらに、バックキャビネット２０を、スピーカ１８が取り付けられたバックライトシャーシ１７に重ね合わせる様子について、図１３から図１６を参照して説明する。図１３は、本実施形態に係るバックキャビネット２０の正面下部の右側を示す、正面側から見た斜視図である。図示のように、バックキャビネット２０の正面下部において、ボス２０１ａおよび２０１ｂが突設されている。そして、ボス２０１ｂにはビス止め用の穴が形成されており、一方、ボス２０１ａにはビス止め用の穴がない。
【００６３】
図１４および図１５は、本実施形態に係る表示装置１の水平断面下部の斜視図である。図１４は、本実施形態に係るバックキャビネット２０をバックライトシャーシ１７に取り付ける途中の状態を示す。図１５は、本実施形態に係るバックキャビネット２０をバックライトシャーシ１７に取り付けた状態を示す。図示のように、スピーカ１８ａの嵌合部材１８１ａは、支持部材１９ａと、ボス２０１ａとの間に挟持される。また、スピーカ１８ａの嵌合部材１８１ｂは、支持部材１９ｂと、ボス２０１ｂとの間に挟持される。さらに、支持部材１９ｂと、ボス２０１ｂとは、ビス２０２によりねじ止めされる。一方、支持部材１９ａと、ボス２０１ａとは、ねじ止めされない。
【００６４】
図１６は、本実施形態に係る表示装置１の左右方向を法線方向とする断面から、正面側から見て左側の斜視図である。図示のように、バックライトシャーシ１７に支持部材１９ａが取り付けられている。そして、スピーカ１８ａの嵌合部材１８１ａが、支持部材１９ａの補強部材１９３ａと、バックキャビネット２０のボス２０１ａとの間に挟持される。これにより、スピーカ１８ａが固定される。
【００６５】
上記によれば、バックキャビネット２０をバックライトシャーシ１７に装着することにより、スピーカ１８の固定が可能になる。そして、スピーカ１８をバックライトシャーシ１７に取り付ける段階において、スピーカ１８のねじ止めが不要になる。
【００６６】
なお、上記のねじ止めは、ボス２０１ｂだけに限ることなく、ボス２０１ａだけに行ってもよいし、ボス２０１ａおよび２０１ｂの両方とも行ってもよいし、いずれもねじ止めしなくてもよい。
【００６７】
以上によれば、バックライトシャーシ１７、支持部材１９、スピーカ１８、バックキャビネット２０の順に取り付けることにより、作業効率の向上を図ることができる。
【００６８】
〔実施形態２〕
本発明の実施形態２に係る表示装置１について説明する。本発明の実施形態１では、図６に示すようなスピーカボックスをバックライトシャーシ１７の背面に取り付けることを説明したが、本実施形態は、スピーカボックスの代わりに単品のスピーカを取り付けるものである。この場合、スピーカには、上述した嵌合部１８１と同様の嵌合部が設けられており、上述したスピーカボックスをバックライトシャーシ１７の背面に取り付けるのと同様に、スピーカをバックライトシャーシ１７の背面に取り付けることができる。
【００６９】
〔実施形態３〕
本発明の実施形態３に係る表示装置１について説明する。本発明の実施形態１では、図９および図１０に示すように、バックライトシャーシ１７の背面に支持部材１９を取り付けるときに内側から外側にスライドインさせることを説明したが、本実施形態は、支持部材を外側から内側にスライドインさせるものである。
【００７０】
詳細には、２個のガイド部に対して、支持部材をスライドインする向きが、いずれも外側から内側への向きであって、互いに逆向きとなるようにガイド部１７４が設けられる。このような構成であってもスピーカボックス（又はスピーカ）をビスなしで固定することができる。
【００７１】
〔実施形態４〕
本発明の実施形態４に係る表示装置１について説明する。本発明の実施形態１では、図７に示すように、支持部材１９の補強部材１９３を４個として説明したが、本実施形態は、それに限定しないものである。
【００７２】
詳細には、支持部材１９の補強部材は、４個以外の個数であってもよい。例えば、一つの支持部材１９に対して補強部材１９３が３個設けられていてもよいし、６個設けられていてもよい。このような構成であっても、スピーカボックス（又はスピーカ）をビスなしで固定することができる。
【００７３】
〔実施形態５〕
本発明の実施形態５に係る表示装置１について説明する。本発明の実施形態１では、図７に示すように、支持部材１９が補強部材１９３を備える構成としたが、本実施形態は、それに限定しないものである。
【００７４】
詳細には、支持部材１９が補強部材１９３を備えない構成とし、その代わりに、補強部材１９３の根元の直径をより大きく形成しておくことにより、支持部材１９に十分な強度を持たせることもできる。もちろん、このような構成と、平板状の補強部材１９３とを組み合わせて用いてもよい。
【００７５】
〔実施形態６〕
本発明の実施形態６に係る表示装置１について説明する。本発明の実施形態１では、図９、１０に示すように、ガイド部１７４のガイドレール（実施形態１における「隙間」に対応）が支持部材１９の平板部１９２と同程度の長さを有する構成としたが、本実施形態は、それに限定しないものである。
【００７６】
本実施形態の詳細に関して、図１７を参照して説明する。図１７は、本実施形態に係るバックライトシャーシ１７、スピーカ１８および支持部材１９の実施例を示す図である。図１７（ａ）はバックライトシャーシ１７の背面下部の左側に形成されたガイド部１７４および開口１７５を示し、図１７（ｂ）、（ｃ）はバックライトシャーシ１７の背面下部の左側に固定された支持部材１９を示し、図１７（ｄ）、（ｅ）はスピーカ１８を示す。支持部材１９ａ、１９ｂは、実施形態１と同じものである。なお、図１７（ｂ）、（ｃ）には図示されていないものの、支持部材１９ａ、１９ｂの底面には、それぞれ凸部１９６ａ、１９６ｂが設けられている。
【００７７】
図１７（ａ）に示すように、バックライトシャーシ１７の背面下部の左側に、ガイド部１７４ｂおよび１７４ｅと、開口１７５ｂおよび１７５ｅとが形成されている。ガイド部１７４ｂおよび開口１７５ｂに関しては、本発明の実施形態１において図９を参照して説明した通りである。ガイド部１７４ｅ（一方のガイド部）が有するガイドレールは、ガイド部１７４ｂ（他方のガイド部）が有するガイドレールよりも長い。そして、ガイド部１７４ｅの上下のガイドレールの端部を繋ぐようにストッパ１７６ｅが設けられている。ストッパ１７６ｅは、ガイド部１７４ｅにスライドインされた支柱部材１９ａに対して、スライドイン方向とは反対側から当接する部分である。
【００７８】
開口１７５ｅは、ガイド部１７４ｅの上下のガイドレールの間に形成された、矩形状の穴である。図１７に示すように、開口１７５ｅは複数形成されている。ガイド部１７４ｅに対して、背面側から見て左方向へ支柱部材１９ａをスライドインさせたときに、支柱部材１９ａの底面側の凸部１９６ａ（図示せず）が何れか１つの開口１７５ｅに嵌合する。開口１７５ｅは、図１７（ａ）では５つ示されているが、これに限定されない。
【００７９】
なお、上記の説明は、バックライトシャーシ１７の背面下部の右側（正面から見れば左側）に形成される、２つのガイド部１７４、ならびに、２つの開口１７５（図示せず）についても同様である。
【００８０】
図１７（ｂ）に示すように、支持部材１９ａがガイド部１７４ｅのガイドレールにスライドインされ、支持部材１９ｂがガイド部１７４ｂのガイドレールにスライドインされている。支持部材１９ａの平板部１９２ａは、ストッパ１７６ｅまで押し込まれる。このとき、支持部材１９ａの凸部１９６ａが、図１７（ａ）に示す、最も左側にある開口１７５ｅに嵌合する（図示せず）。
【００８１】
図１７（ｂ）に示す、バックライトシャーシ１７の背面下部の左側に固定された支持部材１９ａと１９ｂとの間隔は、図１７（ｄ）に示すスピーカ１８ａの嵌合部材１８１ａと１８１ｂとの間隔と同じである。したがって、スピーカ１８ａは、図１７（ｂ）に示す支持部材１９ａおよび１９ｂに取り付け可能である。
【００８２】
図１７（ｃ）に示すように、支持部材１９ａがガイド部１７４ｅのガイドレールにスライドインされ、支持部材１９ｂがガイド部１７４ｂのガイドレールにスライドインされている。支持部材１９ａの平板部１９２ａは、ガイド部１７４ｂの途中まで押し込まれる。このとき、支持部材１９ａの凸部１９６ａが、図１７（ａ）に示す、右から２番目にある開口１７５ｅに嵌合する（図示せず）。
【００８３】
図１７（ｃ）に示す、バックライトシャーシ１７の背面下部の左側に固定された支持部材１９ａと１９ｂとの間隔は、図１７（ｅ）に示すスピーカ１８ｃの嵌合部材１８１ｅと、１８１ｆとの間隔と同じである。したがって、スピーカ１８ｃは、図１７（ｃ）に示す支持部材１９ａおよび１９ｂに取り付け可能である。
【００８４】
上記では、図１７（ｂ）、（ｃ）に示すように、支持部材１９ａが異なる２つの位置に固定されるように説明した。しかしながら、図１７（ａ）に示すように、バックライトシャーシ１７の背面下部には５つの開口１７５ｅが形成されるので、支持部材１９ａは異なる５つの位置に固定可能である。従って、支持部材１９ａ、１９ｂの間隔が５通りになるので、嵌合部材１８１間の間隔が５通り、すなわち、異なる５通りのサイズのスピーカ１８をバックライトシャーシ１７の背面下部に取り付けることができる。さらに、これに限定されることなく、バックライトシャーシ１７の背面下部に形成される開口１７５ｅの個数に応じて、当該個数分の異なるサイズのスピーカ１８を取り付けることができる。
【００８５】
上記によれば、バックライトシャーシ１７の背面下部に取り付けるスピーカ１８のサイズを変更することができる。すなわち、バックライトシャーシ１７を変更することなく、スピーカ１８の機種をグレードアップ、または、グレードダウンすることができる。
【００８６】
そして、バックライトシャーシ１７は、開口１７５ｅの個数が多いので、打ち抜きが多くなるが、一方で、異なるサイズのスピーカごとにバックライトシャーシ１７を準備しなくてもよい。従って、全体から見れば、製造コストが削減される。
【００８７】
なお、バックライトシャーシ１７の背面下部に対する支持部材１９の固定強度に関しては、スピーカ１８が固定されるとともに、バックキャビネット２０が当接されることによって、実施形態１と同等の強度が確保される。
【００８８】
〔まとめ〕
本発明の態様１に係る表示装置（１）は、バックライトシャーシ（１７）と、当該バックライトシャーシの背面に取り付けられたスピーカ（１８）と、を備えている。
【００８９】
上記の構成によれば、スピーカをバックライトシャーシに取り付けることにより、従来に比べて、低コスト化および作業の効率化を図ることができる。
【００９０】
本発明の態様２に係る表示装置は、上記態様１において、上記バックライトシャーシの背面に取り付けられる支持部材（１９）をさらに備え、上記スピーカが、上記支持部材に嵌合する嵌合部（嵌合部材１８１）を備えることとしてもよい。
【００９１】
上記の構成によれば、バックライトシャーシ側の支持部材と、スピーカの嵌合部とを嵌合させることにより、簡単な構造によりスピーカをバックライトシャーシに取り付けることができる。このため作業効率が向上する。
【００９２】
本発明の態様３に係る表示装置は、上記態様２において、上記バックライトシャーシの背面には、上記支持部材をスライドインさせるガイド部（１７４）が設けられ、上記支持部材が、上記ガイド部にスライドインされることにより、上記バックライトシャーシの背面に取り付けられることとしてもよい。
【００９３】
上記の構成によれば、バックライトシャーシの背面にガイド部を設けることにより、バックライトシャーシの背面に支持部材を簡単に取り付けることができる。
【００９４】
本発明の態様４に係る表示装置は、上記態様３において、上記バックライトシャーシの背面には、２つの上記ガイド部が、上記支持部材をスライドインさせる方向が互いに逆向きになるように設けられ、上記スピーカが、２つの上記嵌合部を備え、２つの上記支持部材が、それぞれ２つの上記ガイド部に互いに逆向きにスライドインされ、上記スピーカの２つの上記嵌合部が、それぞれ２つの上記支持部材に嵌合することとしてもよい。
【００９５】
上記の構成によれば、バックライトシャーシの背面に設けられた２つのガイド部に２つの支持部材が互いに逆向きにスライドインされ、その２つの支持部材にスピーカの２つの嵌合部が嵌合するので、支持部材がガイド部から外れる方向に動くことがなく、支持部材およびスピーカをビスなしで簡単に固定することができる。
【００９６】
本発明の態様５に係る表示装置は、上記態様３および４において、上記支持部材の底面には、凸部（１９６）が設けられ、上記ガイド部が、２つのガイドレールを有しており、上記バックライトシャーシの背面には、上記２つのガイドレールの間に、上記凸部に嵌合する開口（１７５）が形成されていることとしてもよい。
【００９７】
上記の構成によれば、支持部材がガイド部のガイドレールにスライドインされ、支持部材の底面に設けられた凸部が、２つのガイドレールの間に形成された開口に嵌合することにより、支持部材をバックライトシャーシの背面に固定することができる。
【００９８】
本発明の態様６に係る表示装置は、上記態様４において、２つの上記ガイド部のうち、一方のガイド部（１７４ｅ）が有するガイドレールが、他方のガイド部（１７４ｂ）が有するガイドレールよりも長いこととしてもよい。
【００９９】
上記の構成によれば、一方のガイド部のガイドレールにスライドインさせる支持部材の位置を変更できるので、異なるサイズのスピーカをバックライトシャーシの背面に取り付けることができる。
【０１００】
本発明の態様７に係る表示装置は、上記態様６において、上記支持部材の底面には、凸部が設けられ、上記一方のガイド部が、２つの上記ガイドレールを有しており、上記バックライトシャーシの背面には、上記２つのガイドレールの間に、上記凸部に嵌合する、複数の開口（１７５ｅ）が形成されていることとしてもよい。
【０１０１】
上記の構成によれば、支持部材が一方のガイド部のガイドレールにスライドインされ、支持部材の底面に設けられた凸部が、２つのガイドレールの間に形成された複数の開口の何れか１つに嵌合することにより、支持部材をバックライトシャーシの背面に固定することができる。また、複数の開口が形成されているので、支持部材の固定位置を変更することができる。したがって、異なるサイズのスピーカを取り付けることができる。
【０１０２】
本発明の態様８に係る表示装置は、上記態様１から７において、上記スピーカの嵌合部に対して、当該表示装置の背面側から当接する当接部（ボス２０１）を有するバックキャビネット（２０）をさらに備えることとしてもよい。
【０１０３】
上記の構成によれば、スピーカの嵌合部が、バックライトシャーシの支持部材と、バックキャビネットの当接部との間で挟持されるので、スピーカを適切に固定することができる。そして、スピーカの固定に必ずしもねじが要らなくなり、部品の点数を削減することができる。また、バックライトシャーシにスピーカが取り付けられた構成に対してバックキャビネットを取り付けるので、作業効率の向上を図ることができる。
【０１０４】
本発明の態様９に係るテレビジョン受像機（表示装置１）は、上記態様１から８に係る表示装置を備えている。
【０１０５】
本発明の態様１０に係る表示装置の製造方法は、バックライトシャーシの背面に支持部材を取り付ける第１ステップと、上記支持部材にスピーカの嵌合部を嵌合させる第２ステップと、を含んでいる。
【０１０６】
本発明の態様１１に係る表示装置の製造方法は、上記態様１０において、上記バックライトシャーシにバックキャビネットを重ね合わせる第３ステップをさらに含み、上記第３ステップにおいて、上記スピーカの嵌合部に対して、上記バックキャビネットに設けられた当接部を、上記表示装置の背面側から当接させることとしてもよい。
【０１０７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１０８】
本発明は、テレビなどの表示装置におけるスピーカの取付に利用することができる。
【符号の説明】
【０１０９】
１  表示装置（テレビジョン受像機）
１７  バックライトシャーシ
１８  スピーカ
１９  支持部材
２０  バックキャビネット
１７４  ガイド部
１７５  開口
１８１  嵌合部材（嵌合部）
１９６  凸部
２０１  ボス（当接部）
【図１】
2016021738.tif 000003
【図２】
2016021738.tif 000004
【図３】
2016021738.tif 000005
【図４】
2016021738.tif 000006
【図５】
2016021738.tif 000007
【図６】
2016021738.tif 000008
【図７】
2016021738.tif 000009
【図８】
2016021738.tif 000010
【図９】
2016021738.tif 000011
【図１０】
2016021738.tif 000012
【図１１】
2016021738.tif 000013
【図１２】
2016021738.tif 000014
【図１３】
2016021738.tif 000015
【図１４】
2016021738.tif 000016
【図１５】
2016021738.tif 000017
【図１６】
2016021738.tif 000018
【図１７】
2016021738.tif 000019